(57)【要約】      （修正有）【課題】玉葱、馬鈴薯またはニンニク等を個々に保護し、通気性の良い状態で複数連結してつり下げ保存できるケースを提供する。【解決手段】開閉部軟化系樹脂板１と固定部軟化系樹脂板２それぞれ中央に開いた穴３を合わせ十時に交差させると共に、その穴にハトメ４を通し２枚を固定し、固定部軟化系樹脂板の両先端部５に２つ並んでいる穴同士を拝み合わせ１センチほど折り、その拝み合わせた両先端部５の穴を中央で重ね合わせた所に、開閉部軟化系樹脂板一辺先端部の穴６を合わせ、ハトメを重ね合わせた３辺の穴に通し固定させケース状にして、玉葱、馬鈴薯またはニンニク等を収納し、Ｓ字フックを開閉部軟化系樹脂板一辺先端部の小穴９に通し、他３辺の先端を固定したハトメに通すことで開閉部を閉じると共につり下げることができ、底部のハトメ４の穴に底部連結用フックを下部内側から通し設置することにより複数つり下げることができる。【選択図】図１
0003143618.tif 000002
【実用新案登録請求の範囲】
【請求項１】
２枚の軟化系樹脂板それぞれの中央に開いた穴を合わせると共に十時に交差させ、その穴にハトメを差し込み２枚を固定し、先端部が２股に分かれ穴が２つ開いている部分の穴同士を縦に拝み合わせ、それを両先端部とも行い、その両先端部の穴を中央で重ね合わせ、重ねた位置より直角線状にある軟化系樹脂板先端部で大きい方の穴一辺を中央で重ね合わせ、重ね合わせた３辺の穴にハトメを通して固定し、Ｓ字フックを用いて他一辺開閉部先端の小穴に通した後、３辺を固定したハトメ穴に通すことでケース状になり、また、底部のハトメの穴に底部連結用フックを通すことで複数連結して保存できることを特徴とする連結つり下げ式、玉葱、馬鈴薯またはニンニク等の保存ケース。
【考案の詳細な説明】
【技術分野】
【０００１】
本考案は、玉葱、馬鈴薯またはニンニク等を２枚の軟化系樹脂板で形成されたケースに入れ、連結してつり下げ保存するケースに関するものである。
【背景技術】
【０００２】
従来、玉葱、馬鈴薯またはニンニク等は数個まとめて販売している事が多く、一度に使い切れない場合残りを保存する必要性があった。
【０００３】
前記玉葱、馬鈴薯またはニンニク等を保存する際には、冷蔵庫の野菜室に保存したり、かごなどにまとめて積み重ねた状態で保存をしている。
【０００４】
また、前記玉葱、馬鈴薯またはニンニク等の保存には通気性が必要とされている事もあり、ストッキングや網などを使い小分けにしてつり下げ保存の方法も考えられた。
【考案の開示】
【考案が解決しようとする課題】
【０００５】
冷蔵庫の野菜室での保存は、野菜室が引き出しタイプが多いため、玉葱、馬鈴薯またはニンニク等の球形に近い野菜は安定せず、引き出した時の転がりで損傷する可能性があり、通気性も悪いため腐敗を促進させる可能性があった。
【０００６】
カゴに積み重ねた状態で保存すると玉葱、馬鈴薯またはニンニク等は球体に近いため重なった接地面の負担が大きく、腐敗を促進させる可能性がある。
【０００７】
通気性を考えた保存方法のストッキングや網などを使いつり下げてた保存は、壁などに当たった場合、保護する部分がないため損傷したり、収納、取り出しが容易でなく、取り出す際に切断するので複数回の使用ができなかった。
【０００８】
本考案の目的は、上記の不満を解消すること、すなわち、玉葱、馬鈴薯またはニンニク等を積み重ねず転がることなく個々に保護され取り出しが容易にでき通気性の良い状態で保存できるケースを提供することである。
【課題を解決するための手段】
【０００９】
上記の課題を解決するために本考案は、２枚の軟化系樹脂板それぞれの中央に開いた穴を合わせると共に十時に交差させ、その穴にハトメを差し込み２枚を固定し、先端部が２股に分かれ穴が２つ開いている部分の穴同士を縦に拝み合わせ、それを両先端部とも行い、その両先端部の穴を中央で重ね合わせ、重ねた位置より直角線状にある軟化系樹脂板先端部で大きい方の穴一辺を中央で重ね合わせ、重ね合わせた３辺の穴にハトメを通して固定し、Ｓ字フックを用いて他一辺開閉部先端の小穴に通した後、３辺を固定したハトメ穴に通すことでケース状になり、また、底部のハトメの穴に底部連結用フックを通すことで複数連結して保存できることを特徴とする。
【考案の効果】
【００１０】
本考案によれば、玉葱、馬鈴薯またはニンニク等を２枚の軟化系樹脂板で形成されたケースに入れることで個々に保護され、また、通気性の良い場所に連結してつり下げる事で長期保存を可能とし、開閉口をフックだけで止めるため、出し入れが容易で複数回使用可能ある。
【考案を実施するための最良の形態】
【００１１】
２枚の軟化系樹脂板それぞれの中央に開いた穴を合わせると共に十時に交差させ、その穴にハトメを差し込み２枚を固定し、先端部が２股に分かれ穴が２つ開いている部分の穴同士を縦に拝み合わせ、それを両先端部とも行い、その両先端部の穴を中央で重ね合わせ、重ねた位置より直角線状にある軟化系樹脂板先端部で大きい方の穴一辺を中央で重ね合わせ、重ね合わせた３辺の穴にハトメを通して固定し、Ｓ字フックを用いて他一辺開閉部先端の小穴に通した後、３辺を固定したハトメ穴に通すことでケース状に形成することが実現した。
【実施例１】
【００１２】
以下、本考案に係るハトメ部材装着用工具の実施例について、図１から図４に基づいて説明する。本案は以上のような構造で、これを使用するときは、固定していない方より玉葱、馬鈴薯またはニンニク等を収納し、手前に開いた開閉部軟化系樹脂板一辺先端部の小穴９にＳ字フック８を差し込み、それを３辺固定しているハトメ７の穴に通しつり下げる。２個以上連結するには、２枚の軟化系樹脂板を十時に接合させたハトメ４の穴に底部連結用フック１０を下部内側から通し設置することにより複数連結つり下げることができる。
【実施例２】
【００１３】
以下、本考案に係るフック付きネジの実施例について、図5に基づいて説明する。本案は以上のような構造で、これを使用するときは、固定していない方より玉葱、馬鈴薯またはニンニク等を収納し、手前に開いた開閉部軟化系樹脂板一辺先端部の小穴９にＳ字フック８を差し込み、それを３辺固定しているハトメ７の穴に通しつり下げる。２個以上連結するには、２枚の軟化系樹脂板をフック付きネジ１２で接合させると共に複数連結させつり下げることができる。
【図面の簡単な説明】
【００１４】
【図１】本考案の製造工程を示した説明図である。（実施例１）
【図２】本考案の製造工程を示した説明図である。（実施例１）
【図３】本考案に係る玉葱、馬鈴薯またはニンニク等を収納する例の実施図である。（実施例１）
【図４】本考案に係る複数連結してつり下げる実施図である。（実施例１）
【図５】本考案構造で、２枚の軟化系樹脂板をフック付きネジで接合させると共に複数連結させる応用図である。（実施例２）
【符号の説明】
【００１５】
１    開閉部軟化系樹脂板
２    固定部軟化系樹脂板
３    軟化系樹脂板の中央に開いた穴
４    ハトメ
５    固定部軟化系樹脂板の両先端部
６    開閉部軟化系樹脂板一辺先端部の穴
７    ハトメ
８    Ｓ字フック
９    開閉部軟化系樹脂板一辺先端部の小穴
１０  底部連結用フック
１１  玉葱、馬鈴薯またはニンニク等
１２  フック付きネジ
【図１】
0003143618.tif 000003
【図２】
0003143618.tif 000004
【図３】
0003143618.tif 000005
【図４】
0003143618.tif 000006
【図５】
0003143618.tif 000007